(57)【要約】      （修正有）【課題】家庭用空調機を通常と同等に使用し、使用電力を抑え、使用効率を良くする器具を提供する。【解決手段】該散水冷却機は、室外機の後面の熱交換フィンに、散水フィルター５の先端部６が均一に密着できるよう長手側辺を室外機側辺に沿わせた状態で、固定板８にて室外機に取り付ける。冷却器本体１は長方形函体で上面には注水口２を設け、長手一側辺３の中央部付近に設けた開口部４からは長手一側辺とほぼ同幅の散水フィルターの先端部を突出させ、函体内には貯水部７を設け散水冷却器とした。【選択図】図１
2014025691.tif 000002
【特許請求の範囲】
【請求項１】
冷却器本体（１）は長方形函体で上面には注水口（２）を設け、長手一側辺（３）の中央部付近に設けた開口部（４）からは長手一側辺とほぼ同幅の散水フィルター（５）の先端部（６）を突出させ、函体内には貯水部（７）を設けて成ることを特徴とする散水冷却器。
【請求項２】
冷却器本体（１）の開口部（３）から突出させた散水フィルター（４）は、先端部（５）を鋭角形に形成するとともに等間隔のスリット（１１）を列設して成ることを特徴とする請求項１記載の散水冷却器。
【発明の詳細な説明】
【技術分野】
【０００１】  本発明は家庭用空調機の室外機を冷却する器具に関するものである。
【背景技術】
【０００２】従来より日本の夏期は高温になり湿度も高くなるので長時間空調機を使用する事になり、電気使用量も多くなる。  特に近年は各分野でリサイクルや省エネルギーが課題になっており、空調機も設定使用温度を高くしたり、使用時間を限定したり工夫している。
【発明の概要】
【発明が解決しようとする課題】
【０００３】家庭用空調機を通常と同等に使用し、使用電力を抑え、使用効率を良くする器具を提供しようとするものであるが、一家庭に数台使用している場合も多いので使用時間が多ければ多いほど省エネルギー効果は多く得られる。
【課題を解決するための手段】
【０００４】以上の課題を解決するために、第一発明は、冷却器本体（１）は長方形函体で上面には注水口（２）を設け、長手一側辺（３）の中央部付近に設けた開口部（４）からは長手一側辺とほぼ同幅の散水フィルター（５）の先端部（６）を突出させ、函体内には貯水部（７）を設け散水冷却器とした。  該散水冷却器を使用する一例を示すと開口部上部には固定板（８）を取着して室外機（９）に粘着テープ、接着剤、ネジ等で取着する。  この時、固定金具（１０）で室外機枠部を挟持状態でネジ止め等で固定すれば脱離し難い。  注水口には水道蛇口等からのホース（１１）を差込み使用に供する。【０００５】第二発明は、冷却器本体（１）の開口部（４）から突出させた散水フィルター（５）は、先端部（６）を鋭角形に形成するとともに等間隔のスリット（１２）を列設して散水冷却器とした。
【発明の効果】
【０００６】家庭用の空調機は室内機と室外機に分離した形状が一般的であり、本願発明は室外機に設置して使用するものである。  第一発明により、冷却器本体（１）は幅３０センチメートル前後の長方形函体で上面には注水口（２）を設け、長手一側辺（３）の中央部付近に設けた開口部（４）からは散水フィルター（５）の先端部（６）を突出させ、函体内には貯水部（７）を設け、開口部上部には室外機への固定板（８）を取着して散水冷却器とした。【０００７】該散水冷却器は、室外機（９）の後面の熱交換フィン（１３）にフィルター先端部が均一に密着できるよう長手側辺を室外機側辺に沿わせた状態で固定板（８）にて室外機に取着し、注水口には水道蛇口からのホース（１１）を取着して水を少量づつ注水すると水は本体内で落下して貯水部に貯水され、同時にフィルターは含水し重力で低い位置にある先端部（６）から水は熱交換フィン（１３）に落下する。  含水された水は波及的にフィルター全体に行渡るが、水量が少ないと注水口に近い部分のみに行渡ることとなるので貯水部（７）が有ればフィルターは左右どの位置でも毛細管現象で貯水された水を吸い上げ、フィルター先端からは均等に当接するフィン（１３）に散水される。  フィルターは軟質の材料を用いるとフィンと密着すると隣のフィンとの間に凸状に変形し、水滴はフィンの間を奥まで入り込み易い。
注水口からの水は水道水に替えて雨水や貯水、ドレン水等でも使用できるが、水にゴミや汚れが混じる場合が多いがフィルターで濾過するので塵等を除去した水を散水できる。
室外機は製造メーカーによって後面の形状やフィンの取付位置が多少異なり、後面が格子状に形成されたものや、フィンが後面に接したものや奥に設置されたもの等多々あるが、フィルターが軟質であると格子部分でも凹凸に変形して先端はフィンに接する。  フィルターからフィンに水が散水されると散水部分のフィンは水冷される。【０００８】室外機のフィンは送風機で空冷する熱交換パイプの熱交換を行うもので、薄いアルミ板にパイプを貫通させ２ミリメートル程度の狭い間隔で竪型に列設されており、水はフィンに沿って落下するが一部はフィンが高温の為に下端部まで落下する間に蒸発する。  フィンは熱伝導が良いのでフィンを水冷すると熱交換パイプも冷却され、水が蒸発した場合は更に気化熱も奪うので更にフィンを冷却する。  本発明散水冷却器は横長形状で形成し列設された多くのフィンに同時に散水する事ができるので連続的に効率よく冷却できる。
この様に連続的に冷却すると室外機の使用電力が少なくなり、冷房効率も良くなる。
また、フィルターの先端部が捲れ上がった状態で取り付けた場合には水滴が全部フィンに触れる前に落下する事も有り得る。  そこで第二発明に示したフィルター先端部（６）を鋭角形に形成するとともに等間隔のスリット（１２）を列設して用いるとフィルター先端部は捲れ上がり難くなり、スリットにより格子に当接部分のみ変形し、他はフィンに密着して水が円滑に流れるので効率が一層良くなる。
【図面の簡単な説明】
【０００９】
【図１】この発明の一実施例を示す一部切断正面図である。
【図２】この発明の他実施例を示す一部切断正面図である。
【図３】この発明の設置状態を示す一部切断正面図である。
【発明を実施するための形態】
【００１０】家庭用の空調機は室内機と室外機に分離した形状が一般的であり、本願発明は室外機に設置して使用するものである。  第一発明により、冷却器本体（１）は幅３０センチメートル前後の長方形函体で上面には注水口（２）を設け、長手一側辺（３）の中央部付近に設けた開口部（４）からは散水フィルター（５）の先端部（６）を突出させ、函体内には貯水部（７）を設け散水冷却器とした。  該散水冷却器を使用する一例を示すと開口部上部には固定板（８）を取着して室外機（９）に粘着テープ、接着剤、ネジ等で取着する。  この時、固定金具（１０）で緊締狭持等すれば更に堅固に固定できる。  注水口には水道蛇口からのホース（１１）を差込み使用に供する。
なお、一般的に室外機上枠（１４）の側辺は上端から２、３センチメートル程度有するので、開口部は同位置以下となる様に設け、フィルターはフィンのなるべく上位置に直接接するようにした。
【００１１】該散水冷却器を使用するには、室外機（９）の後面の熱交換フィン（１３）にフィルター先端部が均一に密着できるよう長手側辺を室外機側辺に沿わせた状態で固定板（８）にて室外機に粘着テープ、接着剤、ネジ等で取着する。  この時、固定金具（１０）で固定すると一層堅固に固定できる。  注水口には水道蛇口からのホース（１１）を取着して水を少量づつ注水する。  注水された水は本体内で落下して貯水部に貯水され、同時に本体内のフィルターは含水する。  フィルターは軟質の含水し易いスポンジ状の材質で、落下する水や貯水された水を含水すると重力で低い位置にある先端部（６）から水は落下する。室外機はほぼ水平に設置されているが多少左右に傾いている場合でも、貯水部（７）に水が溜まっているのでフィルターは左右どの位置でも毛細管現象で溜まった水を吸い上げ、先端からは均等に散水される。  散水量は注水される量で異なるが、注水口から注水する水は水道水に替えて雨水や貯水、ドレン水等でも使用できるが、水にゴミや汚れが交じっている場合でもフィルターで塵等を除去できる。
室外機は製造メーカーによって上枠の厚み、後面の形状やフィンの取付位置が多少異なり、後面が格子（１５）形状に形成されたものや、フィンが後面に接したものや後面からやや離れて設置されたもの等多々あるが、フィルターが軟質であるので格子と接する部分も凹凸に変形して、フィンと近い場合は多く密着した圧縮状態で、フィンと少し離れた場合は緩やかにそれぞれ接する。  いずれの場合もフィルターを加工する事なく装着できる。
【他の実施形態】
【００１２】既に設置された室外機に散水冷却器を取着する場合には、上部からのみ見える状態で取り付けることもあり、フィルターの先端部が捲れ上がった状態で取り付けた場合には水滴が全部フィンに触れる前に落下する事も有り得る。  そこで第二発明に示したスリット付のフィルター形状のものを用いるとフィルター先端部は捲れ上がり難くなり、さらに、裏面が格子形状を有するもので有ってもフィルター先端部の細かいスリットが格子と接する部分のみ捲れ、フィルター他部分はフィンに密着するのでフィンに水が円滑に流れ効率が良くなる。
【産業上の利用の可能性】
【００１３】夏期の夕方、路面に水を撒き水が気化して周囲の温度を下げる打ち水や、料理中に熱い鍋を濡れタオル上に置き鍋を急冷させるのと同様に、フィルターや水滴で熱伝導率の良いアルミ製のフィンに密着して連続的に冷却させる。
室外機のフィンは送風機で空冷する熱交換パイプの熱交換を行うもので、薄いアルミ板にパイプを貫通させ２ミリメートル程度の狭い間隔で竪型に列設されており、水はフィンに沿って落下するが一部はフィンが高温の為に下端部まで落下する間に蒸発する。  フィンは熱伝導が良いのでフィンを水冷すると熱交換パイプも冷却され、水が蒸発した場合は更に気化熱も奪うので更にフィンを冷却する。  本発明散水冷却器は横長形状で形成したので列設された多くのフィンに同時に散水する事ができ、水滴はフィンの上端から下端まで流れるので連続的に効率よく冷却できる。
この様に連続的に冷却すると室外機の冷却効率が良くなるので使用電力が少なくなり、冷房効率も良くなる。
また、フィルターの先端部が捲れ上がった状態で取り付けた場合には水滴が全部フィンに触れる前に落下する事も有り得るので、フィルター先端部が尖形状のものを用いるとフィルター先端部は捲れ上がり難くなり、さらに、細かいスリットが格子と接する部分のみ捲れ、フィルター他部分はフィンに密着するのでフィンに水が円滑に流れて効率が一層良くなる。
家庭内では各部屋に空調機を備えているのが一般的であり、同時に数台使用する事も多々あるのが現状である。  省エネルギーの為にも各室外機に設置して消費電力を減らし、かつ、冷却効率を高めて使用したい。
【符号の説明】
【００１４】１      冷却器本体
２      注水口
３      長手一側辺
４      開口部
５      散水フィルター
６      先端部
７      貯水部
８      固定板
９      室外機
１０    固定金具
１１    ホース
１２    スリット
１３    熱交換フィン
１４    室外機上枠
１５    格子
【図１】
2014025691.tif 000003
【図２】
2014025691.tif 000004
【図３】
2014025691.tif 000005